(57)【要約】【課題】  簡単な操作で目的とするサイズの用紙にカラーかモノクロの別で記録し得る画像処理装置を提供する。【解決手段】  コピーモードで（ステップＳＴ１１）、カセット選択キー８ｃの操作により、目的とするサイズでカラーあるいはモノクロ専用の用紙が収容されたカセットを選択し（ステップＳＴ１２）、更にスタートキー８ａを操作し（ステップＳＴ１３）、選択したカセットがカラー用の用紙を収納したカセットであるか否かを判定する（ステップＳＴ１４）。カラー用のカセットである場合には、カラーモードでコピーを実行する（ステップＳＴ１５）。一方、カラー用カセットでない場合は、モノクロモードでコピーを実行する（ステップＳＴ１６）。【選択図】      図３
2005110076.tif 000002
【特許請求の範囲】
【請求項１】
複数種の用紙を適宜個別に収納する複数の用紙収納部と、
記録時に使用する用紙収納部を指定選択する用紙収納部指定手段と、
各用紙収納部に対応してモノクロ記録用かカラー記録用かの識別を登録する記憶手段とを備え、
前記用紙収納部の１つが選択されると、選択された用紙収納部に対応する前記記憶手段のモノクロ／カラーの登録内容に応じ、モノクロ又はカラーで記録することを特徴とする画像処理装置。
【請求項２】
前記登録記憶手段は、各用紙収納部に対応してモノクロ記録用かカラー記録用かの別を用紙サイズと対で登録することを特徴とする請求項１記載の画像処理装置。
【請求項３】
前記用紙収納部指定手段は、表示部に各用紙収納部名と、サイズと、モノクロ／カラーの別が表示され、この各用紙収納部名を指定するものであることを特徴とする請求項１又は請求項２記載の画像処理装置。
【発明の詳細な説明】
【技術分野】
【０００１】
この発明は、モノクロの他にカラー記録機能も有する複写機、ファクシミリ装置、複写機能・ファクシミリ機能等の多機能を有する複合機、プリンタ装置などの画像処理装置に関する。
【背景技術】
【０００２】
カラー複写機等のカラー画像処理装置には、白黒（モノクロ）複写用の用紙を収納する白黒複写用紙カセットと、カラー複写用の用紙を収納するカラー複写用紙カセットと、これら白黒複写用紙カセット又はカラー複写用紙カセットから用紙を送り出す給紙装置と、原稿色対応モードが白黒モードに設定されたときには、白黒複写用紙カセットから給紙し、原稿色対応モードがカラーモードに設定されたときにはカラー複写用紙カセットから給紙が行われるように、給紙手段を制御するようにしたものが開示されている（例えば、特許文献１参照）。
【特許文献１】特許第２６３６９６２号公報
【発明の開示】
【発明が解決しようとする課題】
【０００３】
上記した従来のカラー画像処理装置では、白黒で記録する場合には、白黒モードに設定しておき、カラーで記録する場合には、カラーモードに設定しておき、用紙を指定する操作を行うと、白黒／カラーモードの設定に応じ、対応する白黒用かカラー用の指定サイズの用紙を給紙するものであり、記録時には白黒／カラーのモードと用紙サイズとを入力する必要があった。そのため、カラーと白黒が入り混じり、かつ用紙サイズも異なる記録を行う場合には、操作が面倒であるという問題があった。
【０００４】
この発明は上記問題点に着目してなされたものであって、簡単な操作で目的とするサイズの用紙にカラーかモノクロの別で記録し得る画像処理装置を提供することを目的としている。
【課題を解決するための手段】
【０００５】
この発明の画像処理装置は、複数種の用紙を適宜個別に収納する複数の用紙収納部と、記録時に使用する用紙収納部を指定選択する用紙収納部指定手段と、各用紙収納部に対応してモノクロ記録用かカラー記録用かの識別を登録する記憶手段を備え、前記用紙収納部の１つが選択されると、選択された用紙収納部に対応する前記記憶手段のモノクロ／カラーの登録内容に応じ、モノクロ又はカラーで記録する。
【０００６】
また、この発明の画像処理装置において、前記登録記憶手段は、各用紙収納部に対応してモノクロ記録用かカラー記録用かの別を用紙サイズと対で登録しておくと良い。
【０００７】
また、この発明の画像処理装置において、前記用紙収納部指定手段は、表示部に各用紙収納部名と、サイズと、モノクロ／カラーの別が表示され、この各用紙収納部名を指定すると良い。
【発明の効果】
【０００８】
この発明によれば、各用紙収納部（用紙カセット）に対応してモノクロ記録用かカラー記録用かの識別を登録しておき、用紙収納部の１つを選択することにより、カラーかモノクロかの所望の専用用紙が選択でき、カラーモード、モノクロモードの別を設定していなくとも、簡単な操作でカラーモード用、モノクロモード用の用紙を選択して記録できる。
【発明を実施するための最良の形態】
【０００９】
以下、実施の形態により、この発明をさらに詳細に説明する。図１は、この発明の実施形態であるカラー画像処理装置全体の概略構成を示すブロック図である。
【００１０】
この実施形態カラー画像処理装置は、ファクシミリ機能とコピー機能とを備えた、しかも画像としてモノクロの他、カラーも扱えるカラー複合機として構成したものである。このカラー複合機は、主制御部（ＣＰＵ）１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化：復号器：Ｃｏｄｅｒ  ａｎｄ  Ｄｅｃｏｄｅｒ）１１と、ＬＡＮＩ／Ｆ１２と、バス１３とを備えている。
【００１１】
主制御部（ＣＰＵ）１は、この装置を構成する各部を制御する。この制御には、モノクロ画像、又はカラー画像を相手機に送信し、あるいは相手機から受信する場合の制御が含まれる。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。あるいは、これらに代えてＶ．３４に従って送信データの変調及び受信データの復調を行う。
【００１２】
ＲＯＭ４は、この装置を制御するためのプログラムを記憶する。ＲＡＭ５は、データ等を一時的に記憶する。ＲＡＭ５はカセットメモリ５ａを有する。このカセットメモリ５ａについては後に詳述する。画像メモリ６は、モノクロあるいはカラーの受信画像データや画像読取部９で読み取ったモノクロあるいはカラーの読み取り画像データを一時的に記憶する。
【００１３】
表示部（ＬＣＤ）７は、アイコン、キーボタンの表示や、データの送受信に必要なメッセージ内容等を表示する。操作部８は、スタートキー８ａ、モード切替キー８ｂ、カセット選択キー８ｃの他、テンキー、登録キー、その他のキーを有する。スタートキー８ａは、コピー等、種々の処理を開始させるのに操作するキーである。モード選択キー８ｂは、ＦＡＸモード・コピーモード・スキャナモード、カラーモード・モノクロモード等の複数の動作モードの切り替えを行うキーである。カセット選択キー８ｃは、後述する画像記録部１０の用紙カセット１〜５のうち、どのカセットの用紙を選択指定するかのキーである。
【００１４】
画像読取部９は、ＦＡＸ送信するときに、あるいはコピーするときに、原稿を光学的に走査して画像データを読み取る。この画像読取部９は、モノクロ画像とカラー画像とを読み取ることが可能である。画像記録部１０は、電子写真式のプリンタよりなり、受信画像データやコピー動作において、画像読取部９で読み取った原稿の画像データを記録紙上に記録する。この画像記録部１０は、カラープリントも可能である。
【００１５】
この画像記録部１０には、複数種の用紙を収納可能な複数の用紙カセットを備えている。例えば、５用紙カセットを備えていると、図４に例示するように、カセット１にモノクロ用のＡ４サイズの用紙が、カセット２にはカラー用Ａ４サイズの用紙が、カセット３にはモノクロようのＢ４サイズの用紙が、カセット４にはモノクロ用のＡ３サイズの用紙が、また、カセット５にはカラー用のＢ５サイズの用紙が、それぞれ収納されている。
【００１６】
ＲＡＭ５のカセットメモリ５ａには、図４に示すテーブルデータが格納されている。ここでは、それぞれカセット１〜５毎に、それぞれ収容されている用紙サイズと、各収容用紙がカラー用であるか、モノクロ用であるかの識別を登録記憶する。
【００１７】
ＣＯＤＥＣ１１は、読み取った画像データを送信又は記憶するためにＭＨ、ＭＲ、ＫＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣよりファイル等のデータ転送の要求を受けると、ＲＡＭ５に記憶する画像データをＬＡＮＩ／Ｆ１２、ＬＡＮ１５を介して外部ＰＣに転送する。
【００１８】
この実施形態カラー複合機においては、各用紙カセット毎に、収納する用紙サイズと、カラーコピー／プリントとモノクロコピー／プリントとの可否を予め登録しておくことができる。そして、コピーあるいはプリント時に複数のカセットのうちの１つを選択指定することにより、所望のサイズであって、所望のモノクロ用かカラー用かの識別で用紙を選択し、記録することができる。
【００１９】
カセットの選択指定は、カセット選択キー８ｃを使用する。カセット選択キー８ｃを操作すると、表示部７の画面７ａに図５に示す内容が表示される。この例では、カセット１〜５に対応して、収容されている用紙のサイズとカラー用かモノクロ用の識別が表示されている。所望のカセットの指定は、カセット名の表示面をタッチしても良いし、指定カセットをカーソル移動で特定しても良い。
【００２０】
次に、図２に示すフロー図を参照して、この実施形態カラー複合機のカセットメモリ５ａへの登録処理について説明する。この処理ルーチンに入ると、ステップＳＴ１においては、カセット登録か否か判定する。カセット登録を行うための登録キーが操作されていると、判定ＹＥＳで、ステップＳＴ２へ移行する。ステップＳＴ２においては、操作部８でカセットの選択を行う。カセット１からカセット５までの表示から、カセット選択キー８ｃの操作により、カセット１を選択する。次に、ステップＳＴ３へ移行する。
【００２１】
ステップＳＴ３においては、記録紙サイズの登録を行う。図４の例では、カセット１へはＡ４サイズがカセットメモリ５ａに登録される。続いて、ステップＳＴ４へ移行する。ステップＳＴ４においては、カセットに収納する用紙がカラーコピー／プリントか、モノクロコピー／プリントかの可否が、カセットメモリ５ａに登録される。図４の例では、カセット１の場合、カラーに×（不可）、モノクロに○（可）が登録される。次に、ステップＳＴ５へ移行する。ステップＳＴ５においては、全てのカセットの登録が終了したか否かを判定する。全てのカセットにつき、登録が終了していない場合は、ステップＳＴ２へ戻る。カセット１の登録を終了した時点では、全カセットの登録が終了していないので、ステップＳＴ２へ戻ることになる。
【００２２】
ステップＳＴ２において、次のカセット、つまりカセット２をカセット選択キー８ｃの操作により選択する。そして、カセット２につきカセット１の場合と同様に、ステップＳＴ３で記録紙サイズを、ステップＳＴ４でカラーコピー／プリントと、モノクロコピー／プリントの識別を、それぞれ登録する。図４の例では、サイズとしてＡ４が、カラーコピー／プリントが○、モノクロコピー／プリントが×として登録される。以後、同様にカセット５に関する登録が終了するまで、ステップＳＴ５→ＳＴ２→ＳＴ４の処理を繰り返し、残りのカセット３〜５の登録処理を実行する。その結果、例えば図４に示す如き、内容がカセット１〜５について、カセットメモリ５ａに登録されたことになる。
【００２３】
次に、この実施形態カラー複合機のコピー時の記録処理を図３に示すフロー図を参照して説明する。この処理ルーチンに入ると、ステップＳＴ１１において、コピーか否か判定する。操作部８のモード切替キー８ｂにより、コピーモードが選択されていると、ステップＳＴ１２へ移行する。ステップＳＴ１２においては、オペレータ（ユーザ）がカセットを選択する。ここで、どのカセットを選択するかは、用紙がどのサイズでカラーコピー／プリントを行うか、あるいはモノクロコピー／プリントを希望するかに基づいて決定する。例えば、Ａ４サイズにカラーコピーしたい場合は、図４の登録例ではカセット２を選択する。選択指定は図５に示す表示を参照する。次に、ステップＳＴ１３へ移行する。
【００２４】
ステップＳＴ１３においては、スタートキー８ａが操作されたか否かを判定する。スタートキー８ａが操作されていると、ステップＳＴ１４へ移行する。ステップＳＴ１４においては、ステップＳＴ１２で選択されたカセットがカラー用カセットか否か判定する。この判定は、カセットメモリ５ａの記憶内容につき、選択されたカセットに対応するカラー・モノクロ別の登録を参照して行う。上記例のように、カセット２が選択されている場合はカラー欄が○なので、ここでの判定がＹＥＳとなる。また仮に、カセット１が選択されていたとすると、図４の例では、モノクロ欄が○、カラー欄が×なので、ここでの判定がＮＯとなる。カラー用カセット（判定ＹＥＳ）の場合は、次にステップＳＴ１５へ移行する。一方、モノクロ用カセットの場合（カラー用カセットでない場合）は、ステップＳＴ１６へ移行する。
【００２５】
ステップＳＴ１５においては、カラーモードでコピーを実行する。具体的には、例えば読み取ったカラー原稿を画像記録部１０で選択した用紙カセットの用紙を用いてカラー記録する。ステップＳＴ１６では、モノクロモードでコピーを実行する。具体的には、例えば読み取った原稿画像を画像記録部１０で、選択した用紙カセットの用紙を用いてモノクロ記録する。
【００２６】
なお、上記実施形態において、画像読取部で読み取った原稿画像を、コピー／プリントする場合について説明したが、パーソナルコンピュータ（ＰＣ）、スキャナ装置等の外部機器から入力されたモノクロ画像データ、カラー画像データを、画像記録する場合にも本発明を適用することができる。
【図面の簡単な説明】
【００２７】
【図１】この発明が実施されるカラー複合機の概略構成を示すブロック図である。
【図２】同実施形態カラー複合機のカセットメモリへの登録処理を説明するためのフロー図である。
【図３】同実施形態カラー複合機のコピー時の記録処理を説明するためのフロー図である。
【図４】同実施形態カラー複合機のカセットメモリの登録例を説明する図である。
【図５】同実施形態カラー複合機のカセット選択指定用の表示例を示す図である。
【符号の説明】
【００２８】
１      主制御部（ＣＰＵ）
２      ＮＣＵ
３      ＭＯＤＥＭ
４      ＲＯＭ
５      ＲＡＭ
５ａ    カセットメモリ
６      画像メモリ
７      表示部
８      操作部
８ａ    スタートキー
８ｂ    モード切換キー
８ｃ    カセット選択キー
９      画像読取部
１０    画像記録部
１１    ＣＯＤＥＣ
１２    ＬＡＮＩ／Ｆ
１３    バス
１４    公衆回線
１５    ＬＡＮ
【図１】
2005110076.tif 000003
【図２】
2005110076.tif 000004
【図３】
2005110076.tif 000005
【図４】
2005110076.tif 000006
【図５】
2005110076.tif 000007